(57)【特許請求の範囲】
【請求項１】
端末装置との間で無線通信を行う基地局装置であって、
前記端末装置と自装置または他の基地局装置との間での過去の通信時における通信環境、端末位置および通信品質に関する情報を、履歴情報として蓄積する履歴情報蓄積部と、
前記履歴情報蓄積部に蓄積された前記履歴情報の中から、提供先の前記端末装置の現在の通信環境に適合する前記履歴情報を選択する履歴情報選択部と、
前記端末装置が履歴情報に基づいて通信品質が改善される条件に関する改善情報を取得しかつユーザに通知するために、履歴情報選択部により選択された前記履歴情報を前記端末装置に送信する通信部と、
を備えたことを特徴とする基地局装置。
【請求項２】
端末装置との間で無線通信を行う基地局装置であって、
前記端末装置と自装置または他の基地局装置との間での過去の通信時における通信環境、端末位置および通信品質に関する情報を、履歴情報として蓄積する履歴情報蓄積部と、
前記履歴情報蓄積部に蓄積された前記履歴情報の中から、提供先の前記端末装置の現在の通信環境に適合する前記履歴情報を選択する履歴情報選択部と、
選択された前記履歴情報に基づいて、通信品質が改善される条件に関する改善情報を取得する改善情報取得部と、
前記改善情報を、前記端末装置を用いてユーザに通知するために前記端末装置に送信する通信部と、
を備えたことを特徴とする基地局装置。
【請求項３】
高ＳＨＦ帯およびＥＨＦ帯を利用して前記端末装置との間で無線通信を行うものであることを特徴とする請求項１または請求項２に記載の基地局装置。
【請求項４】
前記履歴情報選択部は、現在の通信環境に適合する前記履歴情報として、記録された時間帯が現在の時間帯と一致する前記履歴情報を選択することを特徴とする請求項１または請求項２に記載の基地局装置。
【請求項５】
前記履歴情報選択部は、現在の通信環境に適合する前記履歴情報として、前記履歴情報の天候情報が現在の天候情報と一致する前記履歴情報を選択することを特徴とする請求項１または請求項２に記載の基地局装置。
【請求項６】
前記履歴情報選択部は、前記履歴情報の端末位置が現在の端末位置と一致する前記履歴情報を選択し、該当する前記履歴情報がない場合には、前記履歴情報の端末位置が前記現在の端末位置の近傍となる前記履歴情報を選択することを特徴とする請求項１または請求項２に記載の基地局装置。
【請求項７】
前記改善情報は、通信品質が改善される前記端末装置の方位に関するものであることを特徴とする請求項１または請求項２に記載の基地局装置。
【請求項８】
前記改善情報は、東西南北の各方向における通信品質の良否を表すものであることを特徴とする請求項７に記載の基地局装置。
【請求項９】
前記改善情報は、通信品質が改善される前記端末装置の位置に関するものであることを特徴とする請求項１または請求項２に記載の基地局装置。
【請求項１０】
前記改善情報は、現在の端末位置から通信品質が改善される目標位置までの距離および方向に関するものであることを特徴とする請求項９に記載の基地局装置。
【請求項１１】
前記改善情報は、通信品質が改善される前記端末装置の移動速度に関するものであることを特徴とする請求項１または請求項２に記載の基地局装置。
【請求項１２】
前記改善情報は、通信品質が改善される前記端末装置の高度に関するものであることを特徴とする請求項１または請求項２に記載の基地局装置。
【請求項１３】
前記改善情報は、通信品質が改善される前記端末装置の傾きに関するものであることを特徴とする請求項１または請求項２に記載の基地局装置。
【請求項１４】
前記改善情報は、通信品質が改善されるアンテナに関するものであり、
前記改善情報に基づいて、前記基地局装置が備える１つ以上のアンテナの中から通信品質が最良となるアンテナを選択することを特徴とする請求項１または請求項２に記載の基地局装置。
【請求項１５】
端末装置と基地局装置との間で無線通信を行う無線通信システムであって、
前記基地局装置は、
前記端末装置と自装置または他の基地局装置との間での過去の通信時における通信環境、端末位置および通信品質に関する情報を、履歴情報として蓄積し、
蓄積された前記履歴情報の中から、提供先の前記端末装置の現在の通信環境に適合する前記履歴情報を選択し、選択された前記履歴情報を前記端末装置に提供し、
前記端末装置は、
前記基地局装置から取得した前記履歴情報に基づいて、通信品質が改善される条件に関する改善情報を取得しかつユーザに通知することを特徴とする無線通信システム。
【請求項１６】
低い周波数帯を利用して前記端末装置と無線通信を行う第１の基地局装置と、
高い周波数帯を利用して前記端末装置と無線通信を行う第２の基地局装置と、
を備え、
前記第１の基地局装置は、
前記端末装置と前記第２の基地局装置との間での過去の通信時における通信環境、端末位置および通信品質に関する情報を、履歴情報として蓄積して、前記端末装置の現在の通信環境に適合する前記履歴情報を前記端末装置に提供し、
前記端末装置は、
前記第２の基地局装置との間での無線通信の品質が改善される条件に関する改善情報を取得することを特徴とする請求項１５に記載の無線通信システム。
【請求項１７】
前記端末装置は、
前記基地局装置との間での過去の通信時における通信環境、端末位置および通信品質に関する情報を、履歴情報として蓄積し、
前記基地局装置から取得した前記履歴情報と、自装置の履歴情報とを比較することにより得られた比較結果に基づいて補正情報を生成し、
前記補正情報に基づいて、前記基地局装置から取得した履歴情報を補正し、
補正された前記履歴情報に基づいて前記改善情報を取得することを特徴とする請求項１５または請求項１６に記載の無線通信システム。
【請求項１８】
端末装置と基地局装置との間での無線通信の品質が改善される条件に関する改善情報を前記端末装置のユーザに通知するために前記基地局装置が実行する情報通知方法であって、
前記端末装置と自装置または他の基地局装置との間での過去の通信時における通信環境、端末位置および通信品質に関する情報を、履歴情報として蓄積するステップと、
蓄積された前記履歴情報の中から、提供先の前記端末装置の現在の通信環境に適合する前記履歴情報を選択するステップと、
選択された前記履歴情報に基づいて、前記改善情報を取得するステップと、
取得された前記改善情報をユーザに通知するステップと、
を備えたことを特徴とする情報通知方法。
【発明の詳細な説明】
【技術分野】
【０００１】
本発明は、無線通信の品質が改善される情報を取得するための基地局装置、無線通信システム、および情報通知方法に関するものである。
【背景技術】
【０００２】
近年、スマートフォンやタブレット端末などの普及によるトラフィックの急増に対処するため、次世代の移動通信システムとして、高周波数帯、すなわち、高ＳＨＦ（Super High Frequency）帯（周波数：６ＧＨｚ〜３０ＧＨｚ）や、ＥＨＦ（Extremely High Frequency）帯（周波数：主に３０ＧＨｚ〜６０ＧＨｚ）を利用した無線通信システムの検討が進められている。
【０００３】
このような高周波数帯では、降雨や降雪などの天気、建築物や樹木や看板などの静的な遮蔽物、人体や車両などの動的な遮蔽物による電波の減衰が大きく、移動通信システムにこれまで利用されてきたＵＨＦ帯と比較して、電波の減衰を招く要因による通信品質の低下が顕著である。このため、通信エリア内でも通信不良となる状態が頻繁に発生することが想定されることから、通信不良を改善する技術が望まれる。
【０００４】
このような通信不良を改善することに関連する技術として、従来、サーバが、端末装置の位置、および端末装置で受信した基地局の電波の電界強度に関する情報を端末装置から収集して、通信エリアにおける電界強度の分布状況を表す情報（有効エリア管理表）を作成して、この情報を端末装置に提供し、端末装置において、通信サービスを継続して利用することが可能になる移動方向、すなわち、どの方向に移動すると通信サービスを継続して利用することができるかを表示する技術が知られている（特許文献１参照）。
【先行技術文献】
【特許文献】
【０００５】
【特許文献１】特開２００８−２４１６６３号公報
【発明の概要】
【発明が解決しようとする課題】
【０００６】
さて、前記の従来の技術を利用して、高周波数帯を利用した基地局の通信エリアにおける通信品質の分布状況を表す情報を作成して、この情報を端末装置に提供するようにすると、通信品質が改善される位置への移動方向を、端末装置のユーザに通知することができるため、これにしたがってユーザが移動することで、通信不良を改善することができる。
【０００７】
しかしながら、前記の高周波数帯において電波の減衰を招く要因のうち、建築物や樹木や看板などの静的な遮蔽物は変化がないものの、降雨や降雪などの天気や、人体や車両などの動的な遮蔽物は時々刻々と変化し、このような電波の減衰を招く要因が変化することで、通信品質も大きく変化する。このため、通信エリアにおける通信品質の分布状況を表す情報、すなわち、通信エリア内の位置に応じた通信品質を表す情報のみでは、通信品質を確実に改善させるには不十分である。また、高ＳＨＦ帯、ＥＦＨ帯の周波数は直進性が高いため、移動方向を指示するのみでは必ずしも通信品質が改善するとは限らない。
【０００８】
また、別の位置に移動する行動はユーザに大きな負担をかけるが、より簡単な方法で通信品質を改善することができる場合もある。例えば、ユーザの身体の向きや端末装置の持ち方を変えて、端末装置の方位や傾きを調整することで、通信品質を改善することができる場合もある。また、端末装置の位置を変えるだけでは、通信品質を改善することができない場合もある。例えば、ユーザが自動車に乗車している場合には、自動車の走行速度、すなわち、端末装置の移動速度に応じて、通信品質が変化するが、この場合、端末装置の移動速度を変更する必要がある。
【０００９】
そこで、通信品質が改善される情報を端末装置のユーザに通知して通信品質を改善する行動を促す場合には、通信品質を確実に改善し、特にユーザに大きな負担をかけずに効果的に通信品質を改善することができる適切な情報を通知することができる技術が望まれる。
【００１０】
本発明は、このような従来技術の問題点を解消するべく案出されたものであり、その主な目的は、通信品質を確実に改善することができる適切な情報を端末装置のユーザに通知することができるように構成された基地局装置、無線通信システム、および情報通知方法を提供することにある。
【課題を解決するための手段】
【００１１】
また、本発明の基地局装置は、端末装置との間で無線通信を行う基地局装置であって、前記端末装置と自装置または他の基地局装置との間での過去の通信時における通信環境、端末位置および通信品質に関する情報を、履歴情報として蓄積する履歴情報蓄積部と、前記履歴情報蓄積部に蓄積された前記履歴情報の中から、提供先の前記端末装置の現在の通信環境に適合する前記履歴情報を選択する履歴情報選択部と、前記端末装置が履歴情報に基づいて通信品質が改善される条件に関する改善情報を取得しかつユーザに通知するために、履歴情報選択部により選択された前記履歴情報を前記端末装置に送信する通信部と、を備えた構成とする。
【００１２】
また、本発明の無線通信システムは、端末装置と基地局装置との間で無線通信を行う無線通信システムであって、前記基地局装置は、前記端末装置と自装置または他の基地局装置との間での過去の通信時における通信環境、端末位置および通信品質に関する情報を、履歴情報として蓄積し、蓄積された前記履歴情報の中から、提供先の前記端末装置の現在の通信環境に適合する前記履歴情報を選択し、選択された前記履歴情報を前記端末装置に提供し、前記端末装置は、前記基地局装置から取得した前記履歴情報に基づいて、通信品質が改善される条件に関する改善情報を取得しかつユーザに通知する構成とする。
【００１３】
また、本発明の情報通知方法は、端末装置と基地局装置との間での無線通信の品質が改善される条件に関する改善情報を前記端末装置のユーザに通知するために前記基地局装置が実行する情報通知方法であって、前記端末装置と自装置または他の基地局装置との間での過去の通信時における通信環境、端末位置および通信品質に関する情報を、履歴情報として蓄積するステップと、蓄積された前記履歴情報の中から、提供先の前記端末装置の現在の通信環境に適合する前記履歴情報を選択するステップと、選択された前記履歴情報に基づいて、前記改善情報を取得するステップと、取得された前記改善情報をユーザに通知するステップと、を備えた構成とする。
【発明の効果】
【００１４】
本発明によれば、通信品質が改善される条件に関する改善情報をユーザに通知することができ、この改善情報にしたがってユーザが通信品質を改善する行動を実施することで、通信品質を改善することができる。そして、端末装置の現在の通信環境に適合する履歴情報に基づいて改善情報を取得するため、通信品質を確実に改善することができる適切な改善情報をユーザに通知することができる。
【図面の簡単な説明】
【００１５】
【図１】第１実施形態に係る無線通信システムを示す全体構成図
【図２】端末装置１の概略構成を示す機能ブロック図
【図３】履歴情報蓄積部１６に蓄積される履歴情報テーブルの一例を示す説明図
【図４】履歴情報蓄積部１６に蓄積される履歴情報テーブルの一例を示す説明図
【図５】履歴情報蓄積部１６に蓄積される履歴情報テーブルの別例を示す説明図
【図６】端末装置１の方位に関する改善情報を説明する説明図
【図７】端末装置１の方位に関する改善情報を説明する説明図
【図８】端末装置１の位置に関する改善情報を説明する説明図
【図９】端末装置１の位置に関する改善情報の別例を説明する説明図
【図１０】端末装置１の移動速度に関する改善情報を説明する説明図
【図１１】端末装置１の高さに関する改善情報を説明する説明図
【図１２】端末装置１の高さに関する改善情報を説明する説明図
【図１３】端末情報収集部１２で行われる処理の手順を示すフロー図
【図１４】履歴情報更新部１５で行われる処理の手順を示すフロー図
【図１５】第１の履歴情報選択部１７で行われる処理の手順を示すフロー図
【図１６】改善情報取得部１９で行われる処理の手順を示すフロー図
【図１７】指向性制御部２２で行われる処理の手順を示すフロー図
【図１８】第２実施形態に係るマクロセル基地局装置２および端末装置１の概略構成を示す機能ブロック図
【図１９】第３実施形態に係る端末装置１の概略構成を示す機能ブロック図
【図２０】履歴情報補正部５１で生成される補正情報および平均補正情報の一例を示す説明図
【図２１】履歴情報補正部５１で行われる処理の手順を示すフロー図
【図２２】第４実施形態に係るマクロセル基地局装置２および自動運転車６１の概略構成を示す機能ブロック図
【発明を実施するための形態】
【００１６】
前記課題を解決するためになされた第１の発明は、端末装置との間で無線通信を行う基地局装置であって、前記端末装置と自装置または他の基地局装置との間での過去の通信時における通信環境、端末位置および通信品質に関する情報を、履歴情報として蓄積する履歴情報蓄積部と、前記履歴情報蓄積部に蓄積された前記履歴情報の中から、提供先の前記端末装置の現在の通信環境に適合する前記履歴情報を選択する履歴情報選択部と、前記端末装置が履歴情報に基づいて通信品質が改善される条件に関する改善情報を取得しかつユーザに通知するために、履歴情報選択部により選択された前記履歴情報を前記端末装置に送信する通信部と、を備えた構成とする。
【００１７】
これによると、通信品質が改善される条件に関する改善情報をユーザに通知することができ、この改善情報にしたがってユーザが通信品質を改善する行動を実施することで、通信品質を改善することができる。そして、端末装置の現在の通信環境に適合する履歴情報に基づいて改善情報を取得するため、通信品質を確実に改善することができる適切な改善情報をユーザに通知することができる。
【００１８】
また、第２の発明は、端末装置との間で無線通信を行う基地局装置であって、前記端末装置と自装置または他の基地局装置との間での過去の通信時における通信環境、端末位置および通信品質に関する情報を、履歴情報として蓄積する履歴情報蓄積部と、前記履歴情報蓄積部に蓄積された前記履歴情報の中から、提供先の前記端末装置の現在の通信環境に適合する前記履歴情報を選択する履歴情報選択部と、選択された前記履歴情報に基づいて、通信品質が改善される条件に関する改善情報を取得する改善情報取得部と、前記改善情報を、前記端末装置を用いてユーザに通知するために前記端末装置に送信する通信部と、を備えた構成とする。
【００１９】
また、第３の発明は、高ＳＨＦ帯およびＥＨＦ帯を利用して前記基地局装置との間で無線通信を行うものである構成とする。
【００２０】
これによると、高ＳＨＦ帯およびＥＨＦ帯では、降雨や降雪などの天気、建築物や樹木や看板などの静的な遮蔽物、人体や車両などの動的な遮蔽物による電波の減衰が大きく、通信品質に及ぼす電波の減衰の影響が顕著であるため、改善情報をユーザに通知して、通信品質を改善する行動をユーザに促すことで、通信品質を大幅に改善することができる。
【００２１】
また、第４の発明は、前記履歴情報選択部は、現在の通信環境に適合する前記履歴情報として、記録された時間帯が現在の時間帯と一致する前記履歴情報を選択する構成とする。
【００２２】
これによると、人物や車両などの動的な遮蔽物による電波の減衰により通信品質が大きく影響を受け、この動的な遮蔽物の数は時間帯に応じて異なるため、時間帯が一致する履歴情報を選択することで、適切な改善情報を取得することができる。
【００２３】
また、第５の発明は、前記履歴情報選択部は、現在の通信環境に適合する前記履歴情報として、前記履歴情報の天候情報が現在の天候情報と一致する前記履歴情報を選択する構成とする。
【００２４】
これによると、降雨や降雪などによる電波の減衰により通信品質が大きく影響を受けるため、天候情報が一致する履歴情報を選択することで、適切な改善情報を取得することができる。
【００２５】
また、第６の発明は、前記履歴情報選択部は、前記履歴情報の端末位置が現在の端末位置と一致する前記履歴情報を選択し、該当する前記履歴情報がない場合には、前記履歴情報の端末位置が前記現在の端末位置の近傍となる前記履歴情報を選択する構成とする。
【００２６】
これによると、端末位置が自装置の現在位置と一致する履歴情報を優先して選択することで、その場にいながら実施することができる改善情報を取得することができるため、ユーザの負担を軽減することができる。そして、端末位置が自装置の現在位置と一致する履歴情報がない場合には、端末位置が自装置の現在位置の近傍となる履歴情報を選択することで、通信品質が改善される位置に関する改善情報、例えば、通信品質が改善される目標位置までの距離および方向に関する改善情報を取得することができるため、改善情報にしたがってユーザが移動することで、通信品質を改善することができる。
【００２７】
また、第７の発明は、前記改善情報は、通信品質が改善される前記端末装置の方位に関するものである構成とする。
【００２８】
これによると、通信品質が改善される端末装置の方位をユーザに通知することができるため、通知された方位にしたがってユーザが端末装置の向きを変えることで、通信品質を改善することができる。
【００２９】
また、第８の発明は、前記改善情報は、東西南北の各方向における通信品質の良否を表すものである構成とする。
【００３０】
これによると、東西南北の各方向における通信品質の良否をユーザに通知することができるため、通信品質が良好となる方向に端末装置を向けることで、通信品質を改善することができる。
【００３１】
また、第９の発明は、通信品質が改善される前記端末装置の位置に関するものである構成とする。
【００３２】
これによると、通信品質が改善される端末装置の位置をユーザに通知することができるため、通知された位置にユーザが移動することで、通信品質を改善することができる。
【００３３】
また、第１０の発明は、前記改善情報は、現在の端末位置から通信品質が改善される目標位置までの距離および方向に関するものである構成とする。
【００３４】
これによると、通信品質が改善される目標位置までの距離および方向をユーザに通知することができるため、ユーザが簡単に目標位置まで移動することができる。
【００３５】
また、第１１の発明は、前記改善情報は、通信品質が改善される前記端末装置の移動速度に関するものである構成とする。
【００３６】
これによると、通信品質が改善される端末装置の移動速度をユーザに通知することができるため、通知された移動速度となるようにユーザが移動速度を調整することで、通信品質を改善することができる。
【００３７】
また、第１２の発明は、通信品質が改善される前記端末装置の高度に関するものである構成とする。
【００３８】
これによると、通信品質が改善される端末装置の高度をユーザに通知することができるため、通知された高度となるようにユーザが上り下りすることで、通信品質を改善することができる。例えば、建築物の屋内における高度に関する改善情報として、フロアの階数がユーザに通知されると、通知されたフロアにユーザが移動することで、通信品質を改善することができる。
【００３９】
また、第１３の発明は、通信品質が改善される前記端末装置の傾きに関するものである構成とする。
【００４０】
これによると、通信品質が改善される端末装置の傾きをユーザに通知することができるため、通知された傾きとなるようにユーザが端末装置の傾きを変えることで、通信品質を改善することができる。
【００４１】
また、第１４の発明は、前記改善情報は、通信品質が改善されるアンテナに関するものであり、前記改善情報に基づいて、前記基地局装置が備える１つ以上のアンテナの中から通信品質が最良となるアンテナを選択する構成とする。
【００４２】
これによると、端末装置の方位に問題がある場合に、端末装置の方位を変更する行動を実際にユーザが実施しなくても、通信品質を改善することができる。
【００４３】
また、第１５の発明は、端末装置と基地局装置との間で無線通信を行う無線通信システムであって、前記基地局装置は、前記端末装置と自装置または他の基地局装置との間での過去の通信時における通信環境、端末位置および通信品質に関する情報を、履歴情報として蓄積し、蓄積された前記履歴情報の中から、提供先の前記端末装置の現在の通信環境に適合する前記履歴情報を選択し、選択された前記履歴情報を前記端末装置に提供し、前記端末装置は、前記基地局装置から取得した前記履歴情報に基づいて、通信品質が改善される条件に関する改善情報を取得しかつユーザに通知する構成とする。
【００４４】
これによると、第１の発明と同様に、通信品質を確実に改善することができる適切な情報を端末装置のユーザに通知することができる。
【００４５】
また、第１６の発明は、低い周波数帯を利用して前記端末装置と無線通信を行う第１の基地局装置と、高い周波数帯を利用して前記端末装置と無線通信を行う第２の基地局装置と、を備え、前記第１の基地局装置は、前記端末装置と前記第２の基地局装置との間での過去の通信時における通信環境、端末位置および通信品質に関する情報を、履歴情報として蓄積して、前記端末装置の現在の通信環境に適合する前記履歴情報を前記端末装置に提供し、前記端末装置は、前記第２の基地局装置との間での無線通信の品質が改善される条件に関する改善情報を取得する構成とする。
【００４６】
これによると、第１の基地局装置から端末装置に履歴情報が提供されるため、端末装置と第２の基地局装置との間での無線通信が不良な状態でも、端末装置が履歴情報を確実に取得することができる。
【００４７】
また、第１７の発明は、前記端末装置は、前記基地局装置との間での過去の通信時における通信環境、端末位置および通信品質に関する情報を、履歴情報として蓄積し、前記基地局装置から取得した前記履歴情報と、自装置の履歴情報とを比較することにより得られた比較結果に基づいて補正情報を生成し、前記補正情報に基づいて、前記基地局装置から取得した履歴情報を補正し、補正された前記履歴情報に基づいて前記改善情報を取得する構成とする。
【００４８】
これによると、端末装置が基地局装置から取得した履歴情報が他機種に関するものであっても、履歴情報を補正することで、機種に応じた特性の相違による誤差が修正されるため、より一層適切な改善情報を端末装置のユーザに通知することができる。
【００４９】
また、第１８の発明は、端末装置と基地局装置との間での無線通信の品質が改善される条件に関する改善情報を前記端末装置のユーザに通知するために前記基地局装置が実行する情報通知方法であって、前記端末装置と自装置または他の基地局装置との間での過去の通信時における通信環境、端末位置および通信品質に関する情報を、履歴情報として蓄積するステップと、蓄積された前記履歴情報の中から、提供先の前記端末装置の現在の通信環境に適合する前記履歴情報を選択するステップと、選択された前記履歴情報に基づいて、前記改善情報を取得するステップと、取得された前記改善情報をユーザに通知するステップと、を備えた構成とする。
【００５０】
これによると、第１の発明と同様に、通信品質を確実に改善することができる適切な情報を端末装置のユーザに通知することができる。
【００５１】
以下、本発明の実施の形態を、図面を参照しながら説明する。
【００５２】
（第１実施形態）
図１は、第１実施形態に係る無線通信システムを示す全体構成図である。
【００５３】
この無線通信システムは、端末装置１と、マクロセル基地局装置（第１の基地局装置）２と、スモールセル基地局装置（第２の基地局装置）３と、を備えている。
【００５４】
端末装置１は、スマートフォンやタブレット端末やセルラ通信機能を備えたカーナビゲーションシステムなどであり、マクロセル基地局装置２およびスモールセル基地局装置３の両方と通信を行うことができるようになっている。
【００５５】
マクロセル基地局装置２は、ＵＨＦ帯（周波数：３００ＭＨｚ〜３ＧＨｚ）を利用した無線通信を行うものであり、セル半径が例えば１ｋｍ〜２５ｋｍ程度となる。
【００５６】
スモールセル基地局装置３は、高周波数帯、すなわち、高ＳＨＦ帯（周波数：６ＧＨｚ〜３０ＧＨｚ）、またはＥＨＦ帯（周波数：主に３０ＧＨｚ〜６０ＧＨｚ）を利用した無線通信を行うものであり、セル半径が例えば１０ｍ〜３ｋｍ程度となる。
【００５７】
このスモールセル基地局装置３は、マクロセル基地局装置２の通信エリア内に複数設置され、マクロセル基地局装置２およびスモールセル基地局装置３の各通信エリアが重複しており、端末装置１は、マクロセル基地局装置２およびスモールセル基地局装置３の両方を利用して通信が行われる。
【００５８】
次に、図１に示した端末装置１の概略構成について説明する。図２は、端末装置１の概略構成を示す機能ブロック図である。図３および図４は、履歴情報蓄積部１６に蓄積される履歴情報テーブルの一例を示す説明図である。
【００５９】
端末装置１は、通信部１１と、端末情報収集部１２と、環境情報収集部１３と、基地局情報収集部１４と、履歴情報更新部１５と、履歴情報蓄積部１６と、第１の履歴情報選択部１７と、第２の履歴情報選択部１８と、改善情報取得部１９と、不良原因推定部２０と、表示部（情報通知部）２１と、指向性制御部２２と、を備えている。
【００６０】
端末情報収集部１２では、自装置に関する端末情報（端末状態情報および通信品質情報）を収集する。端末状態情報は、端末装置１の位置（緯度および経度）、高さ（高度）、識別子、方位、傾き（ＸＹＺの各軸の傾き）、移動速度、機種の各事項などに関するものである（図４参照）。通信品質情報は、受信電力、干渉量、遅延時間、切断率、通信速度、通信量の各事項などに関するものである（図４参照）。なお、接続率を通信品質情報に含めるようにしてもよい。
【００６１】
なお、端末装置１の方位とは、端末装置１の基準線（例えば長手方向の中心線）の方位角を表し、端末装置１の傾きとは、端末装置１の基準線のＸＹＺの各軸方向に関する傾斜角を表す。
【００６２】
この端末情報収集部１２で行われる端末情報の収集処理は、所定の収集タイミングで行われる。この端末情報の収集タイミングは、端末状態情報のいずれかの事項に変化があったとき、または前回の収集タイミングから所定の時間が経過したときである。
【００６３】
なお、本実施形態では、スモールセル基地局装置３の通信エリアを複数（例えば２００程度）の分割エリアに分割して、この分割エリア単位で端末装置１の位置（以下、適宜に端末位置と呼称する）を管理する。このため、端末位置を表す情報として、分割エリアの識別情報（通し番号など）を用いるようにしてもよい。
【００６４】
環境情報収集部１３は、端末情報収集部１２の収集タイミングと同じタイミングで、環境情報を収集する。この環境情報は、日付、時刻、天気（天候情報）の各事項などに関するものである（図３参照）。天気に関する情報としては、天気（晴れ、曇り、雨、雪など）のほかに、降雨強度、降雪強度、積雪量なども含まれる。この天気に関する情報は、天気情報提供サーバ５から通信部１１を介して取得する。
【００６５】
基地局情報収集部１４は、端末情報収集部１２の収集タイミングと同じタイミングで、端末装置１の通信相手となるスモールセル基地局装置３に関する基地局情報を、スモールセル基地局装置３から通信部１１を介して収集する。基地局情報は、ＰＬＭＮ（通信事業者番号）、位置情報（緯度、経度、高度）、ＲＡＴ（Radio Access Technology、無線通信方式）、周波数、使用アンテナ番号、識別子（セルＩＤ）、セル半径の各事項などに関するものである（図３参照）。
【００６６】
履歴情報更新部１５は、端末情報収集部１２、環境情報収集部１３および基地局情報収集部１４において、所定の収集タイミングで端末情報（端末状態情報および通信品質情報）、環境情報および基地局情報が収集されると、その端末情報、環境情報および基地局情報を履歴情報として、履歴情報蓄積部１６に蓄積された履歴情報テーブルを更新する。このとき、１回の収集タイミングに応じて取得した端末情報、環境情報および基地局情報が１件の履歴情報となり、履歴情報蓄積部１６では、１件ごとの履歴情報が履歴情報テーブルにまとめて蓄積され、履歴情報テーブルの１行分が１件の履歴情報となる（図３，図４参照）。
【００６７】
第１の履歴情報選択部１７は、端末情報収集部１２において、端末装置１から現在（最新）の端末情報を取得すると、環境情報収集部１３および基地局情報収集部１４から現在（最新）の環境情報および基地局情報を取得し、これらの情報に基づいて、履歴情報蓄積部１６に蓄積された履歴情報の中から、端末装置１の現在の通信環境に適合する履歴情報を選択する。さらに、第１の履歴情報選択部１７は、端末情報収集部１２から取得した現在（最新）の端末状態情報に基づいて、端末装置１の現在位置と一致する履歴情報を選択する。
【００６８】
ここで、通信環境とは、端末装置１とスモールセル基地局装置３との間での無線通信の品質に影響を及ぼす事項、具体的には、天気、時間帯、および通信相手となるスモールセル基地局装置３の各事項に関するものであり、現在の環境情報および基地局情報と履歴情報とを比較して、天気、時間帯、およびスモールセル基地局装置３の各事項について、現在の環境情報および基地局情報と一致する履歴情報を探し出す。ここで、該当する履歴情報がなければ、処理を終了する。
【００６９】
一方、該当する履歴情報があれば、その履歴情報と現在の端末状態情報とを比較して、端末位置が現在の端末状態情報の端末位置、すなわち、端末装置１の現在位置と一致する履歴情報を探し出す。ここで、該当する履歴情報があれば、その履歴情報を選択する。一方、該当する履歴情報がなければ、端末位置が現在位置の近傍となる履歴情報を選択する。
【００７０】
第２の履歴情報選択部１８は、第１の履歴情報選択部１７で選択された履歴情報が複数件ある場合に、その中で通信品質が最も高い履歴情報を選択する。このとき、履歴情報内の通信品質情報（受信電力、干渉量、遅延時間、切断率、通信速度、通信量など）に基づいて、通信品質が最も高い履歴情報を選択する。このとき、通信品質情報のいずれか１つの事項、例えば通信速度で通信品質の高さを判定すればよいが、複数の事項の値に基づいて通信品質の評価値を求めて、その評価値に基づいて判定するようにしてもよい。
【００７１】
改善情報取得部１９は、第２の履歴情報選択部１８で選択した履歴情報に基づいて、通信品質が改善される条件に関する改善情報を取得する。このとき、第２の履歴情報選択部１８で選択した履歴情報と、端末情報収集部１２で取得した現在（最新）の端末情報（端末状態情報）とを比較して、両者の差分を抽出する、すなわち、履歴情報と端末情報とで数値が異なる事項を特定し、それを改善事項として、その改善事項に関して通信品質を高めることができる条件を改善情報として取得する。
【００７２】
ここで、改善情報は、通信品質を改善させる行動をユーザに促すものであり、ユーザが身体を動かすなどして、ユーザ自身が変化させることができる端末装置１の状態、すなわち、位置、方位、移動速度、高さ、傾きなどの各事項に関して通信品質を高めることができる条件を改善情報として取得する。
【００７３】
具体的には、第２の履歴情報選択部１８で選択された履歴情報が、端末装置１の現在位置と一致するものである場合には、位置を除く端末装置１の状態、すなわち、方位、移動速度、高さ、傾きなどの各事項に関して通信品質を高めることができる条件を改善情報として取得する。
【００７４】
一方、第２の履歴情報選択部１８で選択された履歴情報が、端末装置１の現在位置と一致しない、すなわち、履歴情報における端末位置が端末装置１の現在位置の近傍となる場合には、通信品質が改善される条件として、通信品質を高めることができる端末装置１の位置を改善情報として取得する。本実施形態では、履歴情報における端末位置を目標位置として、その目標位置までの距離および方向に関する情報を改善情報として取得する。
【００７５】
なお、改善情報取得部１９では、履歴情報と端末情報とで数値が異なる改善事項が複数ある場合には、その改善事項のすべてに関して通信品質を高めることができる条件を改善情報として取得する。また、各改善事項におけるユーザの負担の大きさを比較して、ユーザの負担が最も小さくなる改善事項に関してのみ改善情報を取得するようにしてもよい。
【００７６】
不良原因推定部２０は、端末情報収集部１２で取得した現在（最新）の端末情報（端末状態情報および通信品質情報）と、第２の履歴情報選択部１８で選択された履歴情報とに基づいて、現在の通信不良の原因を推定する。通信不良の原因としては、遮蔽物が存在すること、スモールセル基地局装置３の通信エリア外（圏外）であること、端末装置１の移動速度に問題があること、電波の届きにくい場所（不感知エリア）であることなどである。
【００７７】
ここで、遮蔽物、移動速度、および不感知エリアに関する通信不良の原因は、現在の端末情報と履歴情報とを比較することで推定することができる。また、圏外に関する通信不良の原因は、端末装置１の現在位置とスモールセル基地局装置３の通信エリアを比較することで推定することができる。
【００７８】
このほかに、端末装置１の現在位置と一致することを条件にして、履歴情報蓄積部１６に蓄積された履歴情報と現在の端末情報とを比較することで、降雨などの天気に関する通信不良の原因を推定することができる。
【００７９】
表示部２１は、液晶ディスプレイなどで構成され、改善情報取得部１９で取得した改善情報、および不良原因推定部２０で推定された通信不良の原因に関する情報を表示する。
【００８０】
指向性制御部２２は、改善情報取得部１９で取得した改善情報に基づいて、アンテナの指向性の制御を行う。改善情報取得部１９では、通信品質が改善される端末装置１の方位に関する改善情報が取得され、指向性制御部２２では、この端末装置１の方位に基づいてアンテナの指向性を制御する。すなわち、改善情報で指定された方位に端末装置１を向けた状態に近づくようにアンテナの指向性を制御する。
【００８１】
なお、本実施形態では、端末装置１が、基地局情報をスモールセル基地局装置３から直接取得するようにしたが、基地局情報をマクロセル基地局装置２から取得するようにしてもよい。また、本実施形態では、端末装置１が、天気情報提供サーバ５から天気情報を直接取得するようにしたが、マクロセル基地局装置２を介して天気情報を取得するようにしてもよい。
【００８２】
以上、端末装置１の概略構成を機能ブロック図にしたがって説明したが、この機能ブロック図に示した各部は、プロセッサ（ＣＰＵ）に、メモリに記憶された所定のプログラムを実行させることで実現される。なお、以下に示す機能ブロック図でも同様である。
【００８３】
次に、図２に示した履歴情報蓄積部１６に蓄積される履歴情報テーブルの別例について説明する。図５は、履歴情報蓄積部１６に蓄積される履歴情報テーブルの別例を示す説明図である。
【００８４】
スモールセル基地局装置３で利用される高ＳＨＦ帯およびＥＨＦ帯では、人物や車両などの動的な遮蔽物により通信品質が大きく影響を受け、動的な遮蔽物の数に応じて通信品質が大きく変化する。一方、動的な遮蔽物の数は時間帯に応じて異なり、昼間では動的な遮蔽物が多く、夜間では動的な遮蔽物が少なくなる。このため、時間帯に応じて通信品質が大きく変化する。そこで、本実施形態では、履歴情報を、朝、昼、夜の各時間帯で管理する。
【００８５】
図３に示した例では、環境情報中の時刻に関する情報として、収集タイミングの時刻をそのまま記録するようにしているが、この場合、時刻から時間帯を判定すればよい。また、図５に示すように、時刻に関する情報として、朝、昼、夜の時間帯を記録するようにしてもよい。
【００８６】
次に、図２に示した改善情報取得部１９および不良原因推定部２０で取得して表示部２１に表示される改善情報および不良原因情報について説明する。
【００８７】
まず、端末装置１の方位に関する改善情報について説明する。図６および図７は、端末装置１の方位に関する改善情報を説明する説明図である。図６（Ａ−１），（Ａ−２）に、スモールセル基地局装置３、端末装置１およびユーザの身体の位置関係が異なる状況を示し、図６（Ｂ−１），（Ｂ−２）に、スモールセル基地局装置３の通信エリア内の通信品質の分布状況と端末装置１の現在位置および移動方向とを示し、図７に、端末装置１の表示部２１に表示される画面を示す。
【００８８】
なお、図６（Ｂ−１），（Ｂ−２）に示す通信品質の分布状況では、スモールセル基地局装置３の通信エリアを複数の分割エリアに分割して、各分割エリアの通信品質の良否の程度、例えば接続率の高さが濃淡で表現されている。ここでは、通信品質が最も悪いエリアを最も濃い色で、通信品質が良くなるに従って淡い色で表現している。
【００８９】
図６（Ａ−１）に示す例は、端末装置１を所持したユーザが北向きに歩行している場合である。この場合、スモールセル基地局装置３より北側の位置では、ユーザがスモールセル基地局装置３から遠ざかる方向に歩行し、ユーザの身体の背後にスモールセル基地局装置３が位置するため、ユーザの身体自体が遮蔽物となることから、通信不良が発生しやすい。このため、図６（Ｂ−１）に示すように、スモールセル基地局装置３より北側の位置では通信品質が低くなる傾向にある。
【００９０】
図６（Ａ−２）に示す例は、ユーザが南向きに歩行している場合である。この場合、スモールセル基地局装置３より北側の位置では、ユーザがスモールセル基地局装置３に近づく方向に歩行し、ユーザの身体の前方にスモールセル基地局装置３が位置するため、ユーザの身体が遮蔽物とならない。このため、図６（Ｂ−２）に示すように、スモールセル基地局装置３より北側の位置では通信品質が高くなる。
【００９１】
このように、ユーザが歩行する方向、すなわちユーザの身体の向きに応じて、スモールセル基地局装置３、端末装置１およびユーザの身体の位置関係が異なるため、同一の位置でも通信品質が異なる。
【００９２】
一方、本実施形態では、端末状態情報として端末装置１の方位が収集されるが、この端末装置１の方位は、ユーザの身体の向きと関連する。すなわち、ユーザが端末装置１を使用する際には、通常、身体の正面に端末装置１を保持して操作することから、ユーザの身体の向きに応じて端末装置１の方位が変化する。したがって、履歴情報における同一地点での端末装置１の方位に応じた通信品質の良否は、主にユーザの身体の向きに応じて遮蔽の状況が変化することによるものとなる。
【００９３】
そこで、本実施形態では、履歴情報において通信品質が良好となる端末装置１の方位に基づいて、改善情報として、通信品質が改善される端末装置１の方位に関する情報を取得して、その改善情報を端末装置１の表示部２１に表示する。
【００９４】
具体的には、図７に示すように、端末装置１の表示部２１に表示される画面に、改善情報として、東西南北の各方向の受信感度を表示する方向別受信感度表示部３１が設けられている。この方向別受信感度表示部３１では、バーの本数で、東西南北の各方向における受信感度、すなわち、通信品質の良否を表現している。この方向別受信感度表示部３１に表示される各方向の受信感度は、履歴情報における端末装置１の方位に応じた通信品質の良否に基づいて取得する。
【００９５】
この方向別受信感度表示部３１の表示にしたがって、ユーザが端末装置１の向き、すなわち身体の向きを変えることで、通信品質を改善することができる。例えば、図６（Ｂ−１）に示すように、ユーザが北向きに歩行している場合、スモールセル基地局装置３より北側の位置では通信品質が低くなるが、この位置でユーザが身体の向きを南向きに変えると、通信品質は、図６（Ｂ−２）に示すようになり、通信品質を改善することができる。
【００９６】
また、端末装置１の画面には、端末装置１の現在位置に対するスモールセル基地局装置３の方向を表示する方向表示部３２が設けられている。この方向表示部３２では、スモールセル基地局装置３が存在する方向や、履歴情報から得られる方向別の通信品質のうち、最も良好となる方向を表す矢印が表示される。この方向表示部３２の表示にしたがって、ユーザが端末装置１の向きを変えることで、通信品質を改善することができる。
【００９７】
また、端末装置１の画面には、受信感度（電波強度）を表示する受信感度表示部３３が設けられている。この受信感度表示部３３では、スモールセル基地局装置３の電波を受信できる状態ではバーの本数で受信感度が表示され、スモールセル基地局装置３の電波を受信できない状態では「圏外」の文字が表示される。
【００９８】
また、端末装置１の画面には、通信不良の原因を表示する不良原因表示部３４が設けられている。図７に示す例では、「接続不良（遮蔽）」の文字が表示されている。これにより、遮蔽物により通信不良となっていることをユーザが把握することができる。
【００９９】
次に、端末装置１の位置に関する改善情報について説明する。図８は、端末装置１の位置に関する改善情報を説明する説明図であり、図８（Ａ−１），（Ａ−２）に、スモールセル基地局装置３の通信エリア内の通信品質の分布状況と端末装置の現在位置および移動方向とを示し、図８（Ｂ）に、端末装置１の表示部２１に表示される画面を示す。
【０１００】
図８（Ａ−１）に示すように、スモールセル基地局装置３の通信エリア外に端末装置１があると、通信不可となるが、図８（Ａ−２）に示すように、スモールセル基地局装置３の通信エリア内に端末装置１が入ると、通信不可となる状態は解消される。
【０１０１】
そこで、本実施形態では、履歴情報において通信品質が良好となる端末装置１の位置に基づいて、改善情報として、通信品質が改善される端末装置１の位置に関する情報を取得して、その改善情報を端末装置１の表示部２１に表示する。
【０１０２】
特に本実施形態では、履歴情報において通信品質が良好となる端末装置１の位置を目標位置として、その目標位置までの距離および方向に関する情報を表示する。この目標位置までの距離および方向は、端末装置１の現在位置と目標位置とを比較することで取得することができる。
【０１０３】
具体的には、図８（Ｂ）に示すように、端末装置１の表示部２１に表示される画面に、距離表示部３５が設けられており、この距離表示部３５には、端末装置１の現在位置から、通信品質が良好となる目標位置までの距離が表示される。図８（Ｂ）に示す例では、「距離５０ｍ」の文字が表示されている。また、端末装置１の画面には、方向表示部３６が設けられており、この方向表示部３６に、現在位置から見た目標位置の方向を表す矢印が表示されている。
【０１０４】
この距離表示部３５および方向表示部３６の表示にしたがって、ユーザが移動することで、図８（Ａ−２）に示したように、通信品質を改善することができる。
【０１０５】
この他、端末装置１の画面には、図７に示した例と同様に、受信感度表示部３３および不良原因表示部３４が設けられており、図８（Ｂ）に示す例では、受信感度表示部３３に、「圏外」の文字が表示され、不良原因表示部３４に、「接続不良（圏外）」の文字が表示されている。これにより、スモールセル基地局装置３の通信エリア外にいることをユーザが把握することができる。
【０１０６】
次に、端末装置１の位置に関する改善情報の別例について説明する。図９は、端末装置１の位置に関する改善情報の別例を説明する説明図であり、図９（Ａ）に、スモールセル基地局装置３の通信エリア内の通信品質の分布状況と端末装置１の現在位置および移動方向とを示し、図９（Ｂ）に、端末装置１の表示部２１に表示される画面を示す。
【０１０７】
この別例では、図９（Ｂ）に示すように、端末装置１の表示部２１に表示される画面に、通信品質マップ表示部３７が設けられており、この通信品質マップ表示部３７には、スモールセル基地局装置３の通信エリア内の通信品質情報、すなわち、スモールセル基地局装置３の通信エリア内の通信品質の分布状況を表す通信品質マップが、端末装置１の現在位置の周辺の状況を表す地図上に重畳して表示されている。また、地図上には端末装置１の現在位置とスモールセル基地局装置３の位置とが表示されている。
【０１０８】
通信品質マップ表示部３７の通信品質マップでは、図９（Ａ）に示すように、スモールセル基地局装置３の通信エリアを複数の分割エリアに分割して、各分割エリアの通信品質の良否の程度が濃淡で表現されている。また、図９（Ｂ）に示す例では、端末装置１が位置するスモールセル基地局装置３の通信エリアの全体が表示されているが、端末装置１の現在位置の近傍のエリアのみを表示するようにしてもよい。
【０１０９】
なお、図８に示した例では、スモールセル基地局装置３の通信エリア外の地点から通信エリア内の地点に誘導するようにしたが、この別例では、スモールセル基地局装置３の通信エリア内で、通信品質が低い地点から通信品質が高い地点に誘導するようにしている。
【０１１０】
このほか、端末装置１の画面には、図８に示した例と同様に、距離表示部３５および方向表示部３６が設けられており、図９（Ｂ）に示す例では、距離表示部３５に、「距離５ｍ」の文字が表示され、方向表示部３６に、目標位置の方向を表す矢印が表示されている。また、端末装置１の画面には、受信感度表示部３３および不良原因表示部３４が設けられており、受信感度表示部３３に、「圏外」の文字が表示され、不良原因表示部３４に、「接続不良（遮蔽）」の文字が表示されている。これにより、遮蔽物により通信不良となっていることをユーザが把握することができる。
【０１１１】
このように本実施形態では、通信品質マップ表示部３７に、スモールセル基地局装置３の通信エリア内の通信品質の分布状況を表す通信品質マップおよび端末装置１の現在位置が地図上に重ねて表示されるため、通信品質が良好となる地点を容易にユーザが把握することができる。また、通信品質マップ表示部３７の通信品質マップおよび地図を見ることで、距離表示部３５および方向表示部３６に距離および方向が表示された目標位置とは異なる地点をユーザが独自に判断して、その地点に移動することもできる。
【０１１２】
次に、端末装置１の移動速度に関する改善情報について説明する。図１０は、端末装置１の移動速度に関する改善情報を説明する説明図であり、図１０（Ａ−１），（Ａ−２）に、スモールセル基地局装置３の通信エリア内の通信品質の分布状況と端末装置の現在位置および移動方向とを示し、図１０（Ｂ）に、端末装置１の表示部２１に表示される画面を示す。
【０１１３】
ユーザが車両に乗車している場合、歩行する速度より速い速度で端末装置１が移動するが、この端末装置１の移動速度、すなわち車両の走行速度に応じて通信品質が変化する。図１０（Ａ−１）は、車両の走行速度が速い場合であり、この場合、スモールセル基地局装置３の通信エリア内でも通信品質が良好となる地点が制限され、通信品質が良好となるエリアが狭くなる。図１０（Ａ−２）は、車両の走行速度が遅い場合であり、この場合、通信品質が良好となるエリアが広くなる。
【０１１４】
そこで、本実施形態では、履歴情報において通信品質が良好となる端末装置の移動速度に基づいて、改善情報として、通信品質が改善される端末装置の移動速度に関する情報を取得して、その改善情報を端末装置１の表示部２１に表示する。
【０１１５】
具体的には、図１０（Ｂ）に示すように、端末装置１の表示部２１に表示される画面に、速度表示部３８が設けられており、この速度表示部３８に、通信品質が良好となる移動速度が表示される。図１０（Ｂ）に示す例では、「速度１５ｋｍ／ｈ」の文字が表示されている。
【０１１６】
この速度表示部３８の表示にしたがって、ユーザが車両を減速することで、図１０（Ａ−２）に示したように、通信品質を改善することができる。
【０１１７】
この他、端末装置１の画面には、図７などに示した例と同様に、方向表示部３２、受信感度表示部３３および不良原因表示部３４が設けられており、図１０（Ｂ）に示す例では、方向表示部３２に、スモールセル基地局装置３が存在する方向を表す矢印が表示され、受信感度表示部３３に、「圏外」の文字が表示され、不良原因表示部３４に、「接続不良（速度）」の文字が表示される。これにより、移動速度が速すぎることで通信不良となっていることをユーザが把握することができる。
【０１１８】
なお、図１０（Ａ−１），（Ａ−２）に示した例は、車上にアンテナを設置した場合であり、図６（Ｂ−１），（Ｂ−２）に示した例のように、進行方向による通信品質の差異は特に現れない。
【０１１９】
次に、端末装置１の高さ（高度）に関する改善情報について説明する。図１１および図１２は、端末装置１の高さに関する改善情報を説明する説明図であり、図１１（Ａ）に、建築物におけるスモールセル基地局装置３の設置状況を示し、図１１（Ｂ−１），（Ｂ−２）に、スモールセル基地局装置３の通信エリア内の通信品質の分布状況と端末装置の現在位置および移動方向とを示し、図１２に、端末装置１の表示部２１に表示される画面を示す。
【０１２０】
図１１（Ａ）に示すように、建築物の屋内には、利用者が多数集まる場所にスモールセル基地局装置３が設置されている。このため、フロアに応じて通信品質が異なり、図１１（Ｂ−１）に示すように、スモールセル基地局装置３が設置されていないフロアでは、通信品質が低くなり、図１１（Ｂ−２）に示すように、スモールセル基地局装置３が設置されたフロアでは、通信品質が高くなる。
【０１２１】
そこで、本実施形態では、履歴情報において通信品質が良好となる端末装置１の高さに基づいて、改善情報として、通信品質が改善される端末装置１の高さに関する情報を取得して、その改善情報を端末装置１の表示部２１に表示する。
【０１２２】
具体的には、図１２に示すように、端末装置１の表示部２１に表示される画面に、高さ表示部３９が設けられており、この高さ表示部３９に、通信品質が良好となるフロアの階数が表示される。図１２に示す例では、「高さ２Ｆ／４Ｆ」の文字が表示されている。
【０１２３】
この高さ表示部３９の表示にしたがって、指定されたフロアにユーザが移動することで、図１１（Ｂ−２）に示したように、通信品質を改善することができる。
【０１２４】
この他、端末装置１の画面には、図７などに示した例と同様に、方向表示部３２、受信感度表示部３３および不良原因表示部３４が設けられており、図１２に示す例では、方向表示部３２に、スモールセル基地局装置３が存在する方向を表す矢印が表示され、受信感度表示部３３に、受信感度を表すバーが１本表示され、不良原因表示部３４に、「接続不良（不感知）」の文字が表示される。これにより、電波の届きにくい場所にいるために通信不良となっていることをユーザが把握することができる。
【０１２５】
以上、端末装置１の表示部２１に表示される改善情報の例について説明したが、この他に、端末装置１の傾きに関する改善情報が、端末装置１の表示部２１に表示される。端末装置１では、筐体内の所要の位置にアンテナが配置されており、筐体の傾き角度に応じて通信品質が変化する。例えば、利用者がアンテナが配置されている部分を下に向けて端末装置１を持った場合は、通信品質が悪化する。そこで、本実施形態では、履歴情報において通信品質が良好となる端末装置１の傾きに基づいて、改善情報として、通信品質が改善される端末装置１の傾きに関する情報を取得して、その改善情報を端末装置１の表示部２１に表示する。
【０１２６】
具体的には、端末装置１の表示部２１に表示される画面に、傾き表示部が設けられ、この傾き表示部に、通信品質が良好となる端末装置１の傾きを表す文字や画像が表示される。例えば、アンテナ部分が上になるような持ち方の画像や傾き角度の数値を文字で表示するなどでもよい。
【０１２７】
次に、図２（端末装置１）に示した端末情報収集部１２で行われる処理の手順について説明する。図１３は、端末情報収集部１２で行われる処理の手順を示すフロー図である。
【０１２８】
端末情報収集部１２では、まず、端末状態情報（図４参照）のいずれかの事項に変化があると（ＳＴ１０１でＹｅｓ）、端末状態情報を収集し（ＳＴ１０３）、また、通信品質情報（図４参照）を収集する（ＳＴ１０４）。
【０１２９】
一方、端末状態情報のすべての事項に変化がなくても（ＳＴ１０１でＮｏ）、前回の収集タイミングから所定の時間が経過すると（ＳＴ１０２でＹｅｓ）、端末状態情報を収集し（ＳＴ１０３）、また、通信品質情報を収集する（ＳＴ１０４）。前回の収集タイミングから所定の時間が経過していない場合は（ＳＴ１０２でＮｏ）、そのまま終了する。
【０１３０】
次に、図２に示した履歴情報更新部１５で行われる処理の手順について説明する。図１４は、履歴情報更新部１５で行われる処理の手順を示すフロー図である。
【０１３１】
履歴情報更新部１５では、まず、端末情報収集部１２で端末情報（端末状態情報および通信品質情報）を収集する処理が行われると（ＳＴ２０１でＹｅｓ）、その端末情報を取得する（ＳＴ２０２）。また、環境情報収集部１３に環境情報を収集させて、その環境情報を取得する（ＳＴ２０３）。また、基地局情報収集部１４に基地局情報を収集させて、その基地局情報を取得する（ＳＴ２０４）。そして、端末情報、環境情報および基地局情報に基づいて履歴情報蓄積部１６の履歴情報テーブルを更新する（ＳＴ２０５）。端末情報を収集する処理が行われなった場合は（ＳＴ２０１でＮｏ）、そのまま終了する。
【０１３２】
次に、図２に示した第１の履歴情報選択部１７で行われる処理の手順について説明する。図１５は、第１の履歴情報選択部１７で行われる処理の手順を示すフロー図である。
【０１３３】
第１の履歴情報選択部１７では、まず、環境情報収集部１３から現在（最新）の環境情報を取得する（ＳＴ３０１）。また、基地局情報収集部１４から現在（最新）の基地局情報（図３参照）を取得する（ＳＴ３０２）。また、端末情報収集部１２から現在（最新）の端末情報（端末状態情報および通信品質情報）を取得する（ＳＴ３０３）。
【０１３４】
そして、現在の通信環境に適合する履歴情報がある、すなわち、天気、時間帯、およびスモールセル基地局装置３の各事項について、現在の環境情報および基地局情報と一致する履歴情報（図３参照）があり（ＳＴ３０４でＹｅｓ）、さらに、端末装置１の現在位置と一致する履歴情報（図４参照）がある、すなわち、端末位置が現在の端末状態情報と一致する履歴情報があると（ＳＴ３０５でＹｅｓ）、その履歴情報を選択する（ＳＴ３０６）。なお、現在の環境情報および基地局情報と一致する履歴情報がない場合は（ＳＴ３０４でＮｏ）、処理を終了するとしたが、完全に一致せずとも所定範囲以上一致する履歴情報を選択するようにしてもよい。
【０１３５】
一方、端末装置１の現在位置と一致する履歴情報がない場合には（ＳＴ３０５でＮｏ）、端末位置が現在位置の近傍となる履歴情報を選択する（ＳＴ３０７）。
【０１３６】
このようにして第１の履歴情報選択部１７において履歴情報が選択されると、第２の履歴情報選択部１８において、第１の履歴情報選択部１７で選択された履歴情報の中から、通信品質が最も高い履歴情報が選択される。
【０１３７】
次に、図２に示した改善情報取得部１９で行われる処理の手順について説明する。図１６は、改善情報取得部１９で行われる処理の手順を示すフロー図である。
【０１３８】
改善情報取得部１９では、まず、第２の履歴情報選択部１８から履歴情報を取得する（ＳＴ４０１）。また、端末情報収集部１２から現在（最新）の端末情報（端末状態情報および通信品質情報）を取得する（ＳＴ４０２）。
【０１３９】
そして、履歴情報の通信品質が端末情報の通信品質より高い、すなわち、履歴情報が現在の通信品質より高いものであり（ＳＴ４０３でＹｅｓ）、かつ、履歴情報と端末情報とで端末位置が一致する、すなわち、履歴情報が端末装置１の現在位置と一致するものであり（ＳＴ４０４でＹｅｓ）、かつ、履歴情報と端末情報とで端末装置１の方位に差異がある場合には（ＳＴ４０５でＹｅｓ）、履歴情報の方位を改善情報として取得する（ＳＴ４０６）。
【０１４０】
ついで、履歴情報と端末情報とで端末装置１の傾きに差異がある場合には（ＳＴ４０７でＹｅｓ）、履歴情報の傾きを改善情報として取得する（ＳＴ４０８）。
【０１４１】
ついで、履歴情報と端末情報とで端末装置１の速度に差異がある場合には（ＳＴ４０９でＹｅｓ）、履歴情報の速度を改善情報として取得する（ＳＴ４１０）。なお、ＳＴ４０５、ＳＴ４０７、ＳＴ４０９において、所定未満の差異の場合には差異がないと判定するようにしてもよい。
【０１４２】
一方、履歴情報の通信品質が端末情報の通信品質より高くない場合には（ＳＴ４０３でＮｏ）、履歴情報から改善情報を取得する意義がないため、処理を終了する。
【０１４３】
また、履歴情報と端末情報とで端末位置が一致しない、すなわち、履歴情報における端末位置が端末装置１の現在位置の近傍となる場合には（ＳＴ４０４でＮｏ）、履歴情報の位置を目標位置として、端末情報の位置（現在位置）から目標位置までの距離および方向を算出し、その距離および方向を改善情報として取得する（ＳＴ４１１）。
【０１４４】
このようにして改善情報取得部１９で改善情報を取得すると、その改善情報が表示部２１に表示される。このとき、履歴情報と端末情報とで端末装置１の方位、傾きおよび速度のすべてにおいて差がある場合には、方位、傾きおよび速度のすべての改善情報が表示される。改善情報取得部１９で改善情報を取得しない場合には、改善情報の表示は行われない。なお、履歴情報と端末情報とで複数の差があっても、その一部のみを表示するようにしてもよい。
【０１４５】
なお、通信品質の判定（ＳＴ４０３）は例えば通信速度で行えばよい。また、図１６では、端末装置１の高さ（高度）に関する改善情報の取得の処理を省略しているが、履歴情報と端末情報とで端末装置１の高さに差異がある場合には、履歴情報の高さを改善情報として取得するようにすればよい。
【０１４６】
次に、図２に示した指向性制御部２２で行われる処理の手順について説明する。図１７は、指向性制御部２２で行われる処理の手順を示すフロー図である。
【０１４７】
指向性制御部２２では、まず、第２の履歴情報選択部１８から履歴情報を取得する（ＳＴ５０１）。また、端末情報収集部１２から現在（最新）の端末情報を取得する（ＳＴ５０２）。そして、履歴情報の通信品質が端末情報の通信品質より高く（ＳＴ５０３でＹｅｓ）、かつ、履歴情報と端末情報とで端末位置が一致し（ＳＴ５０４でＹｅｓ）、かつ、履歴情報と端末情報とで端末装置１の方位に差異がある場合には（ＳＴ５０５でＹｅｓ）、履歴情報の方位に基づいて指向性を制御する（ＳＴ５０６）。
【０１４８】
なお、通信品質の判定（ＳＴ５０３）は例えば通信速度で行えばよい。また、端末装置１の現在位置と一致しない履歴情報、すなわち、端末位置が現在位置の近傍となる履歴情報では、適切な制御を行うことができないため、履歴情報に基づく指向性制御は実施しない。
【０１４９】
また、アンテナの指向性の制御で通信品質の改善を図るには限界があり、例えば最適な方位が真後ろである場合には、アンテナの指向性の制御で通信品質の改善を図ることは難しい。そこで、このような場合には、端末装置１の方位に関する改善情報をユーザに通知して、所要の行動をユーザに促して通信品質を改善すればよい。また、アンテナの指向性の制御で対応可能な場合には、アンテナの指向性の制御を優先し、アンテナの指向性の制御を実施することで、ユーザの負担を軽減することができる。
【０１５０】
（第２実施形態）
次に、第２実施形態について説明する。なお、ここで特に言及しない点は前記の実施形態と同様である。
【０１５１】
図１８は、第２実施形態に係るマクロセル基地局装置２および端末装置１の概略構成を示す機能ブロック図である。
【０１５２】
前記の第１実施形態では、端末装置１において、自装置の端末情報を環境情報および基地局情報とともに履歴情報として蓄積して、現在の通信環境に適合する履歴情報に基づいて改善情報を取得するようにしたが、この第２実施形態では、マクロセル基地局装置２において、端末装置１から収集した端末情報を環境情報および基地局情報とともに履歴情報として蓄積して、端末装置１の現在の通信環境に適合する履歴情報を端末装置１に提供し、端末装置１において、マクロセル基地局装置２から提供された履歴情報に基づいて改善情報を取得するようにしている。
【０１５３】
端末装置１は、第１実施形態と同様に、通信部１１と、端末情報収集部１２と、改善情報取得部１９と、不良原因推定部２０と、表示部２１と、指向性制御部２２と、を備えている。
【０１５４】
一方、マクロセル基地局装置２は、通信部４１と、端末情報取得部４２と、環境情報収集部４３と、基地局情報収集部４４と、履歴情報更新部４５と、履歴情報蓄積部４６と、第１の履歴情報選択部４７と、第２の履歴情報選択部４８と、を備えている。
【０１５５】
端末装置１では、端末情報収集部１２において、所定の収集タイミングで自装置の端末情報（端末状態情報および通信品質情報）が収集されて、その端末情報が通信部１１からマクロセル基地局装置２に送信される。
【０１５６】
マクロセル基地局装置２では、端末情報取得部４２において、端末装置１から送信される現在（最新）の端末情報を通信部４１を介して取得する。また、端末情報取得部４２で端末装置１から端末情報を取得したタイミングで、環境情報収集部４３において環境情報を、基地局情報収集部４４において基地局情報を収集する。そして、履歴情報更新部４５において、端末情報取得部４２、環境情報収集部４３および基地局情報収集部４４で取得した端末情報、環境情報および基地局情報を履歴情報として、履歴情報蓄積部４６に蓄積された履歴情報テーブルを更新する。
【０１５７】
また、マクロセル基地局装置２では、端末装置１から現在（最新）の端末情報を取得すると、第１の履歴情報選択部４７において、環境情報収集部４３および基地局情報収集部４４から取得した現在（最新）の環境情報および基地局情報に基づいて、履歴情報蓄積部４６に蓄積された履歴情報の中から、端末装置１の現在の通信環境に適合する履歴情報を選択する。さらに、端末情報取得部４２から取得した現在（最新）の端末状態情報に基づいて、端末装置１の現在位置と一致する履歴情報、または、端末位置が現在位置の近傍となる履歴情報を選択する。そして、第２の履歴情報選択部４８において、第１の履歴情報選択部４７で選択された履歴情報の中で通信品質が最も高い履歴情報を選択する。第２の履歴情報選択部４８で選択された履歴情報は、通信部４１から端末装置１に送信される。
【０１５８】
端末装置１では、マクロセル基地局装置２から送信される履歴情報を、通信部１１を介して取得する。そして、改善情報取得部１９において、マクロセル基地局装置２から取得した履歴情報に基づいて改善情報を取得する。また、不良原因推定部２０において、端末情報収集部１２で取得した現在（最新）の端末情報（端末状態情報および通信品質情報）と、マクロセル基地局装置２から取得した履歴情報とに基づいて、現在の通信不良の原因を推定する。
【０１５９】
そして、表示部２１において、改善情報取得部１９で取得した改善情報、および不良原因推定部２０で推定された通信不良の原因に関する情報を表示する。また、指向性制御部２２において、改善情報取得部１９で取得した改善情報に基づいて、アンテナの指向性の制御を行う。
【０１６０】
なお、通信相手となる端末装置１の現在位置と一致する履歴情報を、マクロセル基地局装置２からスモールセル基地局装置３に提供し、スモールセル基地局装置３において、マクロセル基地局装置２から取得した履歴情報から、通信品質が改善されるアンテナに関する改善情報を取得して、その改善情報に基づいて、通信品質が最良となるアンテナを決定して、そのアンテナを用いて通信を行うようにしてもよい。
（第３実施形態）
【０１６１】
次に、第３実施形態について説明する。なお、ここで特に言及しない点は前記の実施形態と同様である。
【０１６２】
図１９は、第３実施形態に係る端末装置１の概略構成を示す機能ブロック図である。図２０は、図１９に示した履歴情報補正部５１で生成される補正情報および平均補正情報の一例を示す説明図である。
【０１６３】
前記の第２実施形態では、マクロセル基地局装置２において、端末装置１から端末情報（端末状態情報および通信品質情報）を収集して、この端末情報を履歴情報として蓄積するようにしたが、この第３実施形態では、第２実施形態と同様に、マクロセル基地局装置２において、端末装置１から端末情報を収集して履歴情報として蓄積するとともに、端末装置１においても、自装置に関する端末情報を収集して履歴情報として蓄積するようにしている。
【０１６４】
端末装置１では、通信品質に影響を及ぼすアンテナの配置形態や筐体の大きさや形状などが機種に応じて異なるため、機種に応じて通信品質が異なる。このため、別の機種に関する履歴情報をそのまま利用することが難しい場合がある。一方、履歴情報を同一の機種に限定することも可能であるが、利用可能な履歴情報が極端に少なくなるという問題がある。
【０１６５】
そこで、この第３実施形態では、端末装置１において、マクロセル基地局装置２から取得した他機種に関する履歴情報と、自装置に関する履歴情報とを比較して、補正情報を生成し、この補正情報を用いて他機種の履歴情報を補正した上で、履歴情報から改善情報を取得するようにしている。これにより、マクロセル基地局装置２から提供される履歴情報が別機種に関するものである場合でも、精度の高い改善情報をユーザに通知することができる。
【０１６６】
図１９に示すように、端末装置１は、第１実施形態と同様に、通信部１１と、端末情報収集部１２と、環境情報収集部１３と、基地局情報収集部１４と、履歴情報更新部１５と、履歴情報蓄積部１６と、改善情報取得部１９と、不良原因推定部２０と、表示部２１と、指向性制御部２２と、を備えているが、これに加えて、履歴情報補正部５１と、補正情報蓄積部５２と、を備えている。マクロセル基地局装置２は、第２実施形態（図１８参照）と同様である。
【０１６７】
履歴情報補正部５１は、マクロセル基地局装置２から送信される履歴情報を、通信部１１を介して取得すると、端末位置が一致することを条件にして、マクロセル基地局装置２から取得した履歴情報と、履歴情報蓄積部１６に蓄積された自装置の履歴情報とを比較して、その比較結果に基づいて補正情報を生成し、その補正情報に基づいて、マクロセル基地局装置２から取得した履歴情報に対して補正を行う。
【０１６８】
本実施形態では、マクロセル基地局装置２の履歴情報と自装置の履歴情報との差分を求め、その差分を補正情報として補正情報蓄積部５２に蓄積する。
【０１６９】
具体的には、ある時点ｔでマクロセル基地局装置２から取得した履歴情報（方位や傾きなど）を基地局履歴情報（ｔＡ）、端末装置１の履歴情報蓄積部１６に蓄積された履歴情報を端末履歴情報（ｔＢ）とすると、時点ｔにおける補正情報（ｔＣ）は、次式のようになる。
補正情報（ｔＣ）＝基地局履歴情報（ｔＡ）−端末履歴情報（ｔＢ）
【０１７０】
そして、時点ｔでマクロセル基地局装置２から受信した履歴情報に対して補正を行うことで得られる補正後の履歴情報（ｔＤ）は、次式のようになる。
補正後の履歴情報（ｔＤ）＝基地局履歴情報（ｔＡ）−平均補正情報（ｔＣａ）
ここで、平均補正情報（ｔＣａ）は、時点ｔまでに取得した補正情報（ｔＣ）の平均値である。
【０１７１】
なお、図２０には、履歴情報中の端末状態情報である端末装置１の方位および傾きに関する補正情報および平均補正情報を示すが、端末装置１の速度や高さなどに関しても補正情報および平均補正情報が生成される。
【０１７２】
次に、図１９に示した端末装置１の履歴情報補正部５１で行われる処理の手順について説明する。図２１は、履歴情報補正部５１で行われる処理の手順を示すフロー図である。
【０１７３】
履歴情報補正部５１では、まず、マクロセル基地局装置２から送信される履歴情報を、通信部１１を介して取得する（ＳＴ６０１）。そして、このマクロセル基地局装置２から取得した履歴情報と、履歴情報蓄積部１６に蓄積された自装置の履歴情報とを比較して、端末位置が一致するものがあると（ＳＴ６０２でＹｅｓ）、それらの履歴情報の差分を算出して（ＳＴ６０３）、その履歴情報の差分を補正情報として補正情報蓄積部５２に蓄積する（ＳＴ６０４）。
【０１７４】
次に、補正情報蓄積部５２に蓄積された補正情報の中に、マクロセル基地局装置２から取得した履歴情報と端末位置が一致するものが存在し（ＳＴ６０５でＹｅｓ）、かつ、その該当する補正情報が所定数以上存在すると（ＳＴ６０６でＹｅｓ）、その該当する補正情報を平均化した平均補正情報を算出する（ＳＴ６０７）。そして、その平均補正情報に基づいて、マクロセル基地局装置２から取得した履歴情報を補正する（ＳＴ６０８）。
【０１７５】
このようにしてマクロセル基地局装置２から取得した履歴情報が履歴情報補正部５１で補正されると、改善情報取得部１９において、補正された履歴情報を使用して改善情報を取得する。
【０１７６】
このように本実施形態では、マクロセル基地局装置２から履歴情報を取得するたびに、補正情報を生成する処理が繰り返され、補正情報蓄積部５２に蓄積された補正情報を平均化した平均補正情報の精度を徐々に高めることができ、補正情報が所定数以上蓄積されて、平均補正情報の精度が所要のレベルまで高まった段階で、その平均補正情報を補正処理に使用することで、精度の高い補正を行うことができる。
【０１７７】
（第４実施形態）
次に、第４実施形態について説明する。なお、ここで特に言及しない点は前記の実施形態と同様である。
【０１７８】
図２２は、第４実施形態に係るマクロセル基地局装置２および自動運転車６１の概略構成を示す機能ブロック図である。
【０１７９】
前記の第２実施形態（図１８参照）では、通信品質が改善される条件に関する改善情報を端末装置１に表示させて、ユーザに通信品質を改善する行動を促すようにしたが、この第４実施形態では、端末装置を保持するユーザが自動運転車に乗車した場合に、端末装置が取得した通信品質の改善情報を自動運転の制御に利用するようにしたものである。
【０１８０】
すなわち、自動運転車（自律走行が可能な車両）６１において、端末装置６２で取得した改善情報を自律走行制御装置６３に提供して、自律走行制御装置６３で通信品質を改善するように自動運転車６１の走行を制御するようにしている。
【０１８１】
端末装置６２は、第２実施形態と同様に、通信部１１と、端末情報収集部１２と、改善情報取得部１９と、指向性制御部２２と、を備えている。マクロセル基地局装置２は、前記の第２実施形態と同様である。
【０１８２】
自律走行制御装置６３は、端末装置６２の改善情報取得部１９で取得した改善情報に基づいて、端末装置６２の位置、方位および移動速度、すなわち、自動運転車６１の位置、走行方向および走行速度が、安全運転に支障のない範囲で、通信品質が改善される条件に適合するように、自動運転車６１の自律走行を制御する。例えば、通信品質が改善する位置にある駐車エリアに誘導したり、通信品質が改善する方位となるように自動運転車の向きを変更したり、通信品質が改善される走行速度に減速したりする。
【０１８３】
以上、本発明を特定の実施形態に基づいて説明したが、これらの実施形態はあくまでも例示であって、本発明はこれらの実施形態によって限定されるものではない。また、上記実施形態に示した本発明に係る端末装置、基地局装置、無線通信システム、および情報通知方法の各構成要素は、必ずしも全てが必須ではなく、少なくとも本発明の範囲を逸脱しない限りにおいて適宜取捨選択することが可能である。
【０１８４】
例えば、前記の実施形態では、通信品質が改善される条件に関する改善情報をユーザに通知するため、端末装置の画面に改善情報を表示するようにしたが、この改善情報を音声によりユーザに通知するようにしてもよく、これは、例えば車両の運転者に改善情報を通知する場合に好適である。
【０１８５】
また、前記の実施形態では、端末装置やマクロセル基地局装置において、履歴情報を蓄積して管理するようにしたが、履歴情報を蓄積して管理する専用のサーバ（情報管理装置）を設けるようにしてもよい。また、スモールセル基地局装置において、履歴情報を蓄積して管理し、端末装置との通信ができない場合に、マクロセル基地局装置を介して端末装置に履歴情報を送信するようにしてもよい。
【０１８６】
また、前記の実施形態では、通信品質が改善される条件に関する改善情報を取得する改善情報取得部を端末装置に設けるようにしたが、この改善情報取得部をマクロセル基地局装置に設けて、改善情報をマクロセル基地局装置から端末装置に提供するようにしてもよい。
【０１８７】
また、前記の実施形態では、過去の通信時の通信環境および通信品質に関する履歴情報から改善情報を取得して、通信品質を改善する行動をユーザに促したり、アンテナの指向性を制御したりするようにしたが、履歴情報に基づいて、端末装置の通信相手となるスモールセル基地局装置を切り替えるハンドオーバを制御するようにしてもよい。
【０１８８】
また、前記の実施形態では、端末装置においてアンテナの指向性を制御するようにしたが、履歴情報を蓄積するマクロセル基地局装置からスモールセル基地局装置に履歴情報を提供し、スモールセル基地局装置において、履歴情報内の基地局情報に含まれる使用アンテナに基づいて、複数のアンテナの中から通信品質が最良となるアンテナを利用するようにしてもよい。
【０１８９】
また、前記の第２実施形態では、第１の履歴情報選択部および第２の履歴情報選択部を基地局装置に設けて、端末装置の現在の通信環境に適合し、かつ、通信品質が最も高い履歴情報を端末装置に提供するようにしたが、履歴情報蓄積部に蓄積された履歴情報の中から、スモールセル基地局装置が一致する履歴情報のすべてを、あるいはその中で適宜に有用と判断される履歴情報を端末装置に提供し、端末装置において、最適な履歴情報を選択するようにしてもよい。
【０１９０】
また、前記の実施形態では、履歴情報として多数の事項に関する情報を蓄積するようにしたが、端末装置１に履歴情報を蓄積する場合には、蓄積データ量を削減するため、履歴情報の事項を適宜に制限するようにしてもよい。この場合、少なくとも端末装置１の位置および方位と、通信速度とを含むものとするとよい。
【産業上の利用可能性】
【０１９１】
本発明に係る端末装置、基地局装置、無線通信システム、および情報通知方法は、通信品質を確実に改善可能な条件を示した適切な情報を端末装置のユーザに通知することができる効果を有し、無線通信の品質が改善される情報を取得するための端末装置、基地局装置、無線通信システム、および情報通知方法などとして有用である。
【符号の説明】
【０１９２】
１  端末装置
２  マクロセル基地局装置（第１の基地局装置）
３  スモールセル基地局装置（第２の基地局装置）
１１  通信部
１２  端末情報収集部
１３  環境情報収集部
１４  基地局情報収集部
１５  履歴情報更新部
１６  履歴情報蓄積部
１７  第１の履歴情報選択部
１８  第２の履歴情報選択部
１９  改善情報取得部
２０  不良原因推定部
２１  表示部
２２  指向性制御部
３１  方向別受信感度表示部
３２  方向表示部
３３  受信感度表示部
３４  不良原因表示部
３５  距離表示部
３６  方向表示部
３７  通信品質マップ表示部
３８  速度表示部
３９  高さ表示部
４１  通信部
４２  端末情報取得部
４３  環境情報収集部
４４  基地局情報収集部
４５  履歴情報更新部
４６  履歴情報蓄積部
４７  第１の履歴情報選択部
４８  第２の履歴情報選択部
５１  履歴情報補正部
５２  補正情報蓄積部
【図１】
0006532020.tif 000002
【図２】
0006532020.tif 000003
【図３】
0006532020.tif 000004
【図４】
0006532020.tif 000005
【図５】
0006532020.tif 000006
【図６】
0006532020.tif 000007
【図７】
0006532020.tif 000008
【図８】
0006532020.tif 000009
【図９】
0006532020.tif 000010
【図１０】
0006532020.tif 000011
【図１１】
0006532020.tif 000012
【図１２】
0006532020.tif 000013
【図１３】
0006532020.tif 000014
【図１４】
0006532020.tif 000015
【図１５】
0006532020.tif 000016
【図１６】
0006532020.tif 000017
【図１７】
0006532020.tif 000018
【図１８】
0006532020.tif 000019
【図１９】
0006532020.tif 000020
【図２０】
0006532020.tif 000021
【図２１】
0006532020.tif 000022
【図２２】
0006532020.tif 000023